(57)【特許請求の範囲】
【請求項１】
商用電源のコンセントに差込可能な栓刃を備える器具本体と、器具本体の前面側に照明光を出すランプと、周囲照度を検出する明るさセンサと、商用電源に接続されているときに充電される二次電池と、商用電源からの電圧が検出されなくなると二次電池を電源としてランプに給電させる電源切換部と、商用電源と二次電池との間に挿入されたダイオードと、ダイオードの両端に切換接点をそれぞれ接続し共通接点を明るさセンサに接続したスイッチとを設け、スイッチは、商用電源からの給電時にのみ周囲照度が所定値以下になるとランプを点灯させ二次電池からの給電時には周囲照度にかからわずランプを点灯させる状態と、商用電源と二次電池とのどちらからの給電時にも周囲照度が所定値以下のときにランプを点灯させる状態とを選択することを特徴とするナイトライト。
【発明の詳細な説明】
【０００１】
【発明の属する技術分野】
本発明は、夜間などに人が近付くと点灯するナイトライトに関するものである。
【０００２】
【従来の技術】
従来より、廊下などに面した壁の下部に配置されて足元を照らすようにしたナイトライトと称する照明器具が提供されている。ナイトライトの点灯・消灯は一般には手動スイッチによって行なわれているが、この種の照明器具は人の通過時にのみ点灯すれば目的が達成できるにもかかわらず、手動スイッチにより点灯・消灯を行なうものでは、人の通過しないときにも点灯することがあり、無駄な電力消費が生じることになる。
【０００３】
そこで、本発明者は、人体から放射される熱線を検出する熱線センサを器具本体に内蔵することにより、人の通過時のみ点灯させるようにしたナイトライトを先に提案した。
【０００４】
【発明が解決しようとする課題】
ところで、一般には人の通過中にのみ点灯すればよいのであるが、照明範囲と熱線センサの検知エリアとは必ずしも一致しておらず、また人の通過中に熱線センサの出力が常時得られているとは限らないから、熱線センサによって人が検知されたときに発生する検知出力が停止してもある程度の時間は点灯状態に保つ必要がある。つまり、熱線センサの検知出力の停止後に一定時間の時限動作を行なって時限動作中は点灯状態を維持し、時限動作中に検知出力が再び発生すれば時限動作をリセットすればよい。ただし、時限動作の時間が固定されていると設置条件によっては、点灯時間が短すぎるなどの不都合が生じることがある。
【０００５】
本発明は上記事由に鑑みて為されたものであり、その目的とするところは、人の通過に伴って自動的に点灯させることができるようにしながらも設置条件に応じて点灯時間を調節することが可能なナイトライトを提供することにある。
【０００６】
【課題を解決するための手段】
請求項１の発明では、商用電源のコンセントに差込可能な栓刃を備える器具本体と、器具本体の前面側に照明光を出すランプと、周囲照度を検出する明るさセンサと、商用電源に接続されているときに充電される二次電池と、商用電源からの電圧が検出されなくなると二次電池を電源としてランプに給電させる電源切換部と、商用電源と二次電池との間に挿入されたダイオードと、ダイオードの両端に切換接点をそれぞれ接続し共通接点を明るさセンサに接続したスイッチとを設け、スイッチは、商用電源からの給電時にのみ周囲照度が所定値以下になるとランプを点灯させ二次電池からの給電時には周囲照度にかからわずランプを点灯させる状態と、商用電源と二次電池とのどちらからの給電時にも周囲照度が所定値以下のときにランプを点灯させる状態とを選択するものである。
【００１４】
この構成では、商用電源の停電時やコンセントから抜いたときにランプを点灯させることができ、しかも、スイッチの設定に応じて周囲照度が低下したときのみランプを点灯させる状態と周囲照度にかかわりなくランプを点灯させる状態とを選択することができる。つまり、コンセントに接続しているときには周囲照度に連動するから無駄な電力消費を抑制することができる。また、二次電池から給電する際も周囲照度に連動させるように選択すれば、停電時であっても周囲照度が高ければ二次電池からの放電を行なわせず二次電池の不要な消耗を防止することができる。
【００１５】
【発明の実施の形態】
（実施形態１）
図２、図３に示すように、器具本体１は、耐熱性の高い合成樹脂成形品からなる一面が開口した箱状のボディ１Ａと、ボディ１Ａの開口部分に被着されるカバー１Ｂとで構成される。ボディ１Ａとカバー１Ｂとは、カバー１Ｂの両側後面より突出する結合用爪５６，５７をボディ１Ａに設けた結合孔５８，５９に係入することにより結合固定されて器具本体１を構成する。器具本体１は、全体としてはＪＩＳ規格において規格化されている大角形と称する埋込型の配線器具の単位寸法のほぼ６倍の寸法を有する。つまり、単位寸法の配線器具を３個ずつ２列に並べた寸法に相当する。また、取付枠５０に結合するための結合部としての係止爪５４が形成される。
【００１６】
ボディ１Ａの内底面には、器具本体１を壁面に取り付けたときに底壁となる側壁（図２の左手前の壁）に所定間隔を開けて並行する片と、壁面に取り付けたときに右側壁となるの側壁（図２の右手前の壁）に並行する片とからなるＬ字状の仕切壁２が一体に立設され、ボディ１Ａの内部空間が矩形状に開口する空間であるランプ収納室３Ａと、Ｌ字状に開口する空間である回路基板収納室３Ｂとに二分されている。
【００１７】
ランプ収納室３Ａには、ランプソケット４と、ランプソケット４に装着されるＥ１２型の白熱ランプ５とが収納される。ランプソケット４は、図２に示すように、一端部の上端に両側方向に軸部１１を有し、ランプ収納室３Ａの一側壁に沿って形成された一対のリブ１２の上端部に設けた軸受凹部１３に軸部１１の両端部が起倒自在に支承される。つまり、ランプソケット４は、ランプ収納室３Ａに収納される位置とランプ収納室３Ａから一部がボディ１Ａの前面側に突出する位置との間で起倒自在であり、白熱ランプ５の装着時や交換時には、軸部１１を中心としてランプソケット４をボディ１Ａの前面側に突出させることができるようにしてある。また、ランプ収納室３Ａ内には、略Ｌ状に折曲された支持ばね１５が、ランプソケット４の側方に固定ビス１４を用いて固定されている。ランプソケット４をランプ収納室３Ａに収納した状態では、支持ばね１５の先端部がランプソケット４の側面に弾接してランプソケット４が不必要に回動することが防止される。ランプソケット４に接続されたリード線２３は、ランプ収納室３Ａの底部に形成した台部３０に設けた溝３１内に収められるとともに上記仕切壁２に形成した溝３２を介して回路基板収納室３Ｂ内に導入される。
【００１８】
回路基板収納室３Ｂは、一辺側の両端部に端子収納室１６ａ，１６ｂを備え、各端子収納室１６ａ，１６ｂ内には端子板１７、鎖錠ばね１８、解除釦１９からなる一対の速結端子をそれぞれ収納してある。各速結端子は、鎖錠ばね１８の弾性力によって端子板１７と鎖錠ばね１８との間に電線を挟持し、解除釦１９によって鎖錠ばね１８を撓ませて電線の挟持状態を解除することができるようにした周知構成のものである。各端子板１７は図２において上方へ突出した突片１７ａを回路基板６に設けた挿通孔２０に挿入して半田付けされ、回路基板６に形成された回路に対して電気的に接続される。各端子収納室１６ａ，１６ｂの底壁には、図６に示すように、各速結端子に対応した電線挿入孔２１および解除釦１９を操作するための操作用孔２２が開口している。一方の端子収納室１６ａ内の速結端子は図１に示す電源端子３３を構成し、他方の端子収納室１６ｂ内の速結端子は図１に示す連続点灯と自動点灯とを選択する切換スイッチＳＷ1 を接続するための端子３４を構成する。
【００１９】
回路基板６には図１に示す回路を構成する回路素子が実装され、ランプソケット４からのリード線２３が接続される。この回路基板６は回路基板収納室３Ｂの開口縁に形成された段部３Ｃに載せられ、回路基板６の側縁に形成された切欠８を通して回路基板収納室３Ｂに形成されたリブ９に設けた穴１０に螺合する固定ビス７を用いてボディ１Ａに固定される。
【００２０】
回路基板６に形成される回路では、図１に示すように、電源端子３３に接続される交流電源ＡＣの両端にランプ交換時にオフになる電源遮断用スイッチＳＷ2 と、ダイオードＤ1 と、限流抵抗Ｒ1 と、発光ダイオードよりなる動作表示灯ＬＥＤ1 とを介してダイオードブリッジＤＢを接続し、ダイオードＤ1 と限流抵抗Ｒ1 と動作表示灯ＬＥＤ1 との直列回路に白熱ランプ５を並列に接続してある。ダイオードブリッジＤＢは両出力端間にサイリスタからなるスイッチ素子Ｓを並列に接続してあり、このスイッチ素子Ｓを制御回路４０によりトリガしてオンさせることにより、上記白熱ランプ５をダイオードブリッジＤＢ、スイッチ素子Ｓを通じて交流電源ＡＣに接続して点灯させる。
【００２１】
ダイオードＤ1 で半波整流された脈流は３端子レギュレータＩＣ等からなる電源回路部４１により安定した所定の直流電圧に変換される。電源回路部４１は、制御回路４０に電源を供給するととともに、抵抗Ｒ2 と周囲照度を検出するＣｄＳからなる明るさセンサ４２との直列回路を接続している。
制御回路４０は、明るさセンサ４２の両端電圧を監視し、この両端電圧により周囲照度を監視する。つまり、周囲照度が高い（明るい）ときには明るさセンサ４２の両端電圧が低下するから、明るさセンサ４２の両端電圧に応じて周囲照度を検出することができる。また、制御回路４０には焦電型赤外線センサよりなる熱線センサ４３が接続され、熱線センサ４３の視野内に人体からの熱線が入射したときに熱線センサ４３から検知出力が発生したときに明るさセンサ４２により検出されている周囲照度が所定値以下であると、制御回路４０は検知出力を有効としてスイッチ素子Ｓにトリガ信号を与える。さらに、制御回路４０には時定数回路４４が接続され、制御回路４０では検知出力が停止してから時定数回路４４で設定された一定時間後にスイッチ素子Ｓへのトリガ信号を停止するようになっている。時定数回路４４には時定数を変更することができる可変抵抗器ＶＲ1 が時間設定部として設けられている。制御回路４０には、内部のクロック発振回路の発振周波数を決めるＣＲ回路４５も接続される。
【００２２】
一方、ダイオードブリッジＤＢの入力端には端子３４が接続され、両端子３４間には上述した切換スイッチＳＷ1 が接続可能になっている。したがって、切換スイッチＳＷ1 をオンにすると白熱ランプ５は切換スイッチＳＷ1 を介して交流電源ＡＣに接続されて点灯し、スイッチ素子Ｓのオン・オフにかかわらず白熱ランプ５を連続点灯させることができる。また、切換スイッチＳＷ1 をオフにすれば制御回路４０の制御に基づくスイッチ素子Ｓのオン・オフに応じて白熱ランプ５を自動的に点灯・消灯させることができる。
【００２３】
ところで、熱線センサ４３と明るさセンサ４２と動作表示灯ＬＥＤ1 と可変抵抗器ＶＲ1 とは図２に示すように回路基板６の一辺側の表面に配置され、電源遮断用スイッチＳＷ2 は回路基板６の他辺側の表面に配置され、ボディ１Ａにカバー１Ｂが被着されると、カバー１Ｂに設けた受光窓２８に熱線センサ４３の検知面とこの熱線センサ４３の近傍に設けた動作表示灯ＬＥＤ1 の発光部が臨み、カバー１Ｂに別に設けた受光窓２７に明るさセンサ４２の受光面が臨み、カバー１Ｂに設けた挿通孔２５に可変抵抗器ＶＲ1 の操作部が挿通され、カバー１Ｂに設けた操作孔２６に電源遮断用スイッチＳＷ2 のアクチュエータが臨むようになっている。
【００２４】
ここで、カバー１Ｂは、合成樹脂製の取付枠５０あるいは金属製の取付枠の中央開口部に嵌合する突台５１を備えるとともに、突台５１の両側面に突出する肩部５２とを有し、肩部５２には合成樹脂製の取付枠５０に設けた係止孔５３に着脱自在に係入する係止爪５４がそれぞれ二対ずつ設けられている。また、突台５１の両側面の基部には金属製の取付枠の係止部が係入される係止凹部５５が２個設けてあり、一般の埋込型の配線器具と同様に合成樹脂製の取付枠５０（あるいは金属製の取付枠）を用いて壁面に埋設したスイッチボックスや埋込穴に取り付けることができるようなっている。
【００２５】
カバー１Ａの突台５１にはボディ１Ａのランプ収納室３Ａに対応する開口窓６０を設けてあり、この開口窓６０には透光性の樹脂により形成された図３に示すセード６１が着脱自在に嵌合され、白熱ランプ５の照明光はこのセード６１を介して外部へ出ることになる。
セード６１は、一側部の裏面より突出する係止爪６２を開口窓６０の対応する内面に開口した係止孔６３に係入させるとともに、セード６１の他側部の外面に設けた係止突起６８を開口窓６０の対応する内面に設けた係止凹部（図示せず）に弾性係入することにより、カバー１Ｂに固定される。セード６１をカバー１Ｂから外すには、セード６１の他側部の外面に設けた外し溝６４に開口窓６０の開口縁に設けた溝６５を通してマイナスドライバの先端部等の治具を挿入し、治具を外し溝６４に係止させて治具を梃子として利用しセード６１の他側部を持ち上げて係止突起６３を係止凹部から離脱させる。このようにしてセード６１を外せばランプ収納室３Ａ内の白熱ランプ５を交換することができる。
【００２６】
また、セード６１の一端の裏面には開口窓６０に被着したときにカバー１Ｂに設けた上記操作孔２６に挿入されてボディ１Ａ内の電源遮断用スイッチＳＷ2 のアクチュエータを押して電源遮断用スイッチＳＷ2 をオンにする押し込み突起６６を突出させてある。したがって、セード６１を外した状態では電源遮断用スイッチＳＷ2 がオフになり、この状態では白熱ランプ５に給電されないから感電の危険が防止されるとともに不必要に白熱ランプ５が点灯することもない。また、セード６１にはボディ１Ａのランプ収納室３Ａ内のランプソケット４の前面を押さえてランプソケット４を定位置に固定するための押さえ突起６７も突設してある。
【００２７】
上述した受光窓２７，２８および挿通孔２５は、カバー１Ｂの突台５１に開口しており、受光窓２７にはカバー１Ｂの内側に取り付けられる受光カバー７０のレンズ部７１が嵌め込まれ、レンズ部７１により明るさセンサ４２の受光面に外光が集光されるようになっている。また、受光窓２８には多数の集光レンズを一体に形成したレンズ本体７３と、反射ミラー７４を設けたミラー支持体７５とで構成された光学ブロック７６が装着されている。
【００２８】
ミラー支持体７５は矩形枠状であって、開口部の中央上方にＶ状の反射ミラー７４が支持配置されている。一方、レンズ本体７３は両側部に傾斜面を有し後面が開口した箱状に形成された合成樹脂成形品であって、傾斜面および前面部に集光レンズを一体形成してある。このレンズ本体７３は、受光窓２８に裏面側から嵌め込まれ、受光窓２８の表面開口部に突出形成してある突出壁７７の内側に設けた凹部（図示せず）にレンズ本体７３の周縁を当接させ、この状態でミラー支持体７５の反射ミラー７４をレンズ本体７３に後面側から挿入して反射ミラー７４の上端部をレンズ本体７３に当接させることでレンズ本体７３を押え、この状態で固定ビス７９によりカバー１Ｂの裏面にミラー支持体７５を固定することにより、レンズ本体７３とミラー指示帯７５とをカバー１Ｂに固定してある。
【００２９】
ここで、レンズ本体７３の各集光レンズは熱線センサ４３の検知有効視野を通る光軸を有し、熱線センサ４３のチップの検知面に焦点を結ぶようになっている。一方反射ミラー７３は集光レンズを透過した熱線のうち熱線センサ４３の検知有効視野を通らないものを反射して熱線センサ４３の検知有効視野を通るようにし、熱線センサ４３の受光面に集光させるようにしたもので、熱線センサ４３の検知エリアを広げる機能を有する。つまり、反射ミラー７４とレンズ本体７３との組み合わせにより、カバー１Ｂの前面側への突出量を小さくしても熱線を広角に集光できるようになり、器具本体１の設置位置から遠方にいる人からの熱線をも熱線センサ４３に集光させることができ、検知距離を延ばすことできる。
【００３０】
ところで、カバー１Ｂの突台５１の裏面にはボディ１Ａに被着した時に仕切壁２の上端に当接して熱線センサ４３が収納される部分と、ランプ収納室３Ａとの間を遮断する二重構造の仕切壁８０を設けてあり、この仕切壁８０とボディ１Ａの仕切壁２と回路基板６とにより、白熱ランプ５からの熱が熱線センサ４２に影響を与えないように断熱してある。
【００３１】
また、白熱ランプ５の熱を逃がすために、壁面に器具本体１を配設した時に上壁となるランプ収納室３Ａの側壁には内外を連通させる空気排出孔８１を形成してあり、ボディ１Ａの後壁であってランプ収納室３Ａの下部には空気流入孔８２（図６参照）を開口してある。つまり、白熱ランンプ４の発熱によって生じる対流により空気流入孔８２より冷たい外気をランプ収納室３Ａに流入させ、熱気を空気排出孔８１から流出させることにより、ランプ収納室３Ａの温度上昇を抑制するようになっている。
【００３２】
実際の施工に際しては、取付枠５０に器具本体１を取着し、取付枠５０をスイッボックスなどに取り付ければよいのであり、取付枠５０の前面側には化粧カバー８３が取着される。化粧カバー８３は、周部後面に突設した係止爪８４を取付枠５０の係止部８５に係入することにより取付枠５０の前面側に取着される。
しかして、本実施形態におけるナイトライトでは、周囲照度が所定値以下で暗いときに、熱線センサ４３によって人体からの熱線が検知されて検知信号が発生すると、制御回路４０がスイッチ素子Ｓをオンにし、ダイオードブリッジＤＢ、スイッチ素子Ｓを通して白熱ランプ５を交流電源ＡＣに接続して点灯させる。また、熱線センサ４３からの検知信号が停止すると、制御回路４０は時定数回路４４で設定された一定時間の経過後にスイッチ素子Ｓをオフにして白熱ランプ５への通電を停止させて消灯させる。ここで、検知出力の停止から白熱ランプ５の消灯までの時間は、可変抵抗器ＶＲ1 によって調節可能であり、可変抵抗器ＶＲ1 の操作部は器具本体１の前面側に露出するから、設置条件に応じて時間調節を行なうことができるのである。
【００３３】
（実施形態２）
本実施形態は、実施形態１と外観は同様であるが、時定数回路４４の時定数を調節する可変抵抗器ＶＲ1 に代えて、図７に示すように、明るさセンサ４２に明るさ設定部としての可変抵抗器ＶＲ2 を直列接続してある。この可変抵抗器ＶＲ2 を調節すれば、明るさセンサ４２の両端電圧が変化するから、熱線センサ４３の検知出力を有効にするときの周囲照度を調節することが可能になる。
【００３４】
すなわち、実施形態１では白熱ランプ５を点灯させるときの周囲照度は固定的に設定されているが、設置条件や使用者の感覚によっては、白熱ランプ５を点灯させるときの周囲照度の調節が要求されることがある。本実施形態では可変抵抗器ＶＲ2 を設けることによってこの要求を満たしているのである。可変抵抗器ＶＲ2 は実施形態１の可変抵抗器ＶＲ1 に置き換えて回路基板６に実装されるから、外観上は実施形態１のものと同様であるが、本実施形態では時定数を調節する機能はない。他の構成および動作は実施形態１と同様である。
【００３５】
（実施形態３）
本実施形態は、図８に示すように、可変抵抗器ＶＲ1 ，ＶＲ2 を持たず、また切換スイッチＳＷ1 を接続する端子３４も設けていないが、熱線センサ４３の検知出力に応じて白熱ランプ５を自動的に点灯・消灯させる状態と、白熱ランプ５を常時点灯させる状態と、白熱ランプ５を常時消灯させる状態とを選択する選択スイッチＳＷ3 を設けている。すなわち、白熱ランプ５の一端に選択スイッチＳＷ3 の共通接点を接続し、連続点灯の接点ｒ1 を一方の電源端子３３に接続し、自動点灯の接点ｒ2 をダイオードブリッジＤＢの一方の入力端に接続し、連続消灯の接点ｒ3 はどこにも接続していない。つまり、接点ｒ1 を選択すれば実施形態１における切換スイッチＳＷ1 をオンにした状態と同様であるから白熱ランプ５は明るさセンサ４２や熱線センサ４４の出力とは無関係に連続点灯し、接点ｒ2 を選択すれば実施形態１における切換スイッチＳＷ1 をオフにした状態と同様であって周囲照度が所定値以下のときに熱線センサ４３の検知出力が得られると白熱ランプ５が点灯する。また、接点ｒ3 を選択すれば白熱ランプ５には給電されないから、明るさセンサ４２や熱線センサ４３の出力にかかわらず白熱ランプ５は消灯し続ける。
【００３６】
しかして、基本的な外観は実施形態１と同様であるが、可変抵抗器ＶＲ1 が存在せず選択スイッチＳＷ3 を設けているから、図９、図１０に示すように、カバー１Ｂの突台５１には挿通孔２５に代えて矩形状に開口する窓孔２４を形成してある。選択スイッチＳＷ3 はスライドスイッチであって、窓孔２４の周部後面と選択スイッチＳＷ3 との間には選択スイッチＳＷ3 を操作するためのつまみ３５が保持される。つまみ３５の一部は窓孔２４から突出し、必要に応じて選択スイッチＳＷ3 を容易に操作できるようにしてある。また、器具本体１に選択スイッチＳＷ3 を設けていることによって、実施形態１のように同様の機能の切換スイッチＳＷ1 を外部に設ける必要がなく、施工の省力化がなされ省スペースにもなる。他の構成および動作は実施形態１と同様である。
【００３７】
（実施形態４）
本実施形態は、図１１に示すように、熱線センサを持たず、明るさセンサ４２の出力のみによって白熱ランプ５を点灯・消灯させるようにしたナイトライトであって、コンセントに挿入して使用され、交流電源ＡＣの停電時には内蔵した二次電池Ｂにより白熱ランプ５に給電することができ、またコンセントから外せば懐中電灯としても使用することができるナイトライトを例示する。
【００３８】
本実施形態におけるナイトライトは、図１２に示すように、直方体状の器具本体１００を備え、器具本体１００の背面にはコンセントに差し込むことができる一対の栓刃１０１が突設される。器具本体１００の前面には、白熱ランプ５からの光を取り出すレンズ体１０２が着脱自在に装着される。このレンズ体１０２は図示しない係合爪が後方に突設されており、器具本体１００に係合爪を係入することによって器具本体１００に結合される。また、レンズ体１０２の両側面に突設された突部１０３を押すことによって係合爪と器具本体１００との係合状態を解除し、器具本体１００からレンズ体１０２を取り外すことができるようにしてある。
【００３９】
器具本体１００の側面（コンセントへの差込み時には上面）には、明るさセンサ４２に外光を導入するための受光窓１０４が形成される。また、器具本体１００の内部には、図１３に示すように、白熱ランプ５のほか図１１に示した回路が納装され、レンズ体１０２を外した状態では後述するスイッチＳＷ4 の操作部が露出するようになっている。
【００４０】
本実施形態におけるナイトライトの回路は、図１１に示すように、コンセントに栓刃１０１を差し込むことによって交流電源（商用電源）ＡＣに接続され、交流電源ＡＣをトランスＴで降圧した後にダイオードブリッジＤＢ2 で整流し、平滑コンデンサＣ1 で平滑することによって内部回路の電源を得ている。ＣｄＳよなる明るさセンサ４２は、抵抗Ｒ3 との直列回路をスイッチＳＷ4 を介して平滑コンデンサＣ1 の両端に接続してある。明るさセンサ４２と抵抗Ｒ3 との接続点にはトランジスタＱ1 のベースが接続され、トランジスタＱ1 のコレクタ−エミッタはトランジスタＱ2 のベース−エミッタ間に接続される。トランジスタＱ2 のベースは、ダイオードＤ4 、ツェナーダイオードＺＤ1 などを通して平滑コンデンサＣ1 の正極に接続され、平滑コンデンサＣ1 の両端電圧が所定電圧以上であれば、ツェナーダイオードＺＤ1 が導通してトランジスタＱ2 に順バイアスを与える。ここで、トランジスタＱ1 がオンになれば、トランジスタＱ2 のベース−エミッタ間がトランジスタＱ1 を通して導通するから、トランジスタＱ2 はオフになる。つまり、明るさセンサ４２により検出された周囲照度が所定値以下であって明るさセンサ４２の抵抗値が高いときにトランジスタＱ2 がオンになってダイオードＤ3 およびダイオードブリッジＤＢの一部を通して白熱ランプ５に給電され、白熱ランプ５が点灯することになる。
【００４１】
栓刃１０１をコンセントに差し込んだ状態で交流電源ＡＣの電圧が正常であれば、ダイオードブリッジＤＢ2 の出力はダイオードＤ4 を介して二次電池Ｂへの充電にも用いられる。
ところで、平滑コンデンサＣ1 の両端電圧は抵抗Ｒ4 ，Ｒ5 によって分圧され、トランジスタＱ3 のベースに印加されている。このトランジスタＱ3 のコレクタ−エミッタは、コンデンサＣ2 と抵抗Ｒ6 との直列回路に並列接続され、コンデンサＣ2 と抵抗Ｒ6 との直列回路は抵抗Ｒ7 を介して二次電池Ｂに接続されている。コンデンサＣ2 と抵抗Ｒ6 との接続点は、二次電池ＢからトランジスタＱ2 へのバイアスを与えるサイリスタＳ2 のゲートに接続され、トランジスタＱ3 がオフになると、コンデンサＣ2 を通して二次電池Ｂから流れる電流によってサイリスタＳ2 をオンにするようになっている。つまり、交流電源ＡＣの電圧が低下してトランジスタＱ3 がオフになると、サイリスタＳ2 がオンになってトランジスタＱ2 を導通させる。ツェナーダイオードＺＤ1 が導通しているときには、トランジスタＱ4 のベース電位は低いからトランジスタＱ4 はオフであって、二次電池Ｂと白熱ランプ５との間に挿入されたトランジスタＱ5 もオフであるが、交流電源ＡＣの電圧が低下してツェナーダイオードＺＤ1 が導通しなくなると、トランジスタＱ4 にはサイリスタＳ2 を通して順バイアスがかかり、トランジスタＱ4 およびトランジスタＱ5 がオンになる。つまり、白熱ランプ５に対して二次電池Ｂから給電可能な状態になる。
【００４２】
また、サイリスタＳ2 にはサイリスタＳ1 が並列接続され、このサイリスタＳ1 のゲートはスイッチＳＷ5 を介して二次電池Ｂの正極に接続され、スイッチＳＷ6 を介して二次電池Ｂの負極に接続されている。したがって、スイッチＳＷ5 をオンにすれば、サイリスタＳ1 がオンになって白熱ランプ５への給電が可能になり、スイッチＳＷ6 をオンにすればサイリスタＳ1 がオフになって白熱ランプ５への給電が停止する。ここに、スイッチＳＷ5 ，ＳＷ6 は押操作中にのみオンになるものを用いてあり、器具本体１００の上部に操作部が設けられている。交流電源ＡＣの電圧が正常であってツェナーダイオードＺＤ1 が導通しているときには、トランジスタＱ2 の動作が平滑コンデンサＣ1 の電圧に支配されるから、スイッチＳＷ5 ，ＳＷ6 の操作は無効になる。
【００４３】
さらに、ダイオードＤ4 の両端には上述したスイッチＳＷ4 の切換接点ａ，ｂがそれぞれ接続され、このスイッチＳＷ4 の共通接点は明るさセンサ４２に接続されている。しかして、スイッチＳＷ4 が接点ａ側に接続されているときには、明るさセンサ４２の出力は交流電源ＡＣから給電されているときのみ有効になり、器具本体１００をコンセントから抜けば、スイッチＳＷ5 ，ＳＷ6 によって白熱電球４を点灯・消灯させることができるようになる。また、周囲照度とは無関係に停電時など交流電源ＡＣの電圧低下時に二次電池Ｂからの給電によって白熱ランプ５が点灯することになる。
【００４４】
一方、スイッチＳＷ4 の接点ｂを選択すると、交流電源ＡＣと二次電池Ｂとのどちらからも明るさセンサ４２への通電がなされるから、停電時など交流電源ＡＣの電圧低下時にも周囲照度が低下しなければ白熱ランプ５は点灯せず、コンセントから外した状態においてスイッチＳＷ5 を操作しても周囲照度が低くなければ白熱ランプ５は点灯しなくなる。つまり、二次電池Ｂから白熱ランプ５に給電する際に、周囲照度に応じて点灯させるか周囲照度とは無関係に点灯させるかをスイッチＳＷ4 によって選択することができるのである。
【００４５】
【発明の効果】
請求項１の発明は、商用電源のコンセントに差込可能な栓刃を備える器具本体と、器具本体の前面側に照明光を出すランプと、周囲照度を検出する明るさセンサと、商用電源に接続されているときに充電される二次電池と、商用電源からの電圧が検出されなくなると二次電池を電源としてランプに給電させる電源切換部と、商用電源と二次電池との間に挿入されたダイオードと、ダイオードの両端に切換接点をそれぞれ接続し共通接点を明るさセンサに接続したスイッチとを設け、スイッチは、商用電源からの給電時にのみ周囲照度が所定値以下になるとランプを点灯させ二次電池からの給電時には周囲照度にかからわずランプを点灯させる状態と、商用電源と二次電池とのどちらからの給電時にも周囲照度が所定値以下のときにランプを点灯させる状態とを選択するものであり、商用電源の停電時やコンセントから抜いたときにランプを点灯させることができ、しかも、スイッチの設定に応じて周囲照度が低下したときのみランプを点灯させる状態と周囲照度にかかわりなくランプを点灯させる状態とを選択することができる。つまり、コンセントに接続しているときには周囲照度に連動するから無駄な電力消費を抑制することができる。また、二次電池から給電する際も周囲照度に連動させるように選択すれば、停電時であっても周囲照度が高ければ二次電池からの放電を行なわせず二次電池の不要な消耗を防止することができる。
【図面の簡単な説明】
【図１】実施形態１を示す回路図である。
【図２】実施形態１を示す分解斜視図である。
【図３】実施形態１を示す分解斜視図である。
【図４】実施形態１の正面図である。
【図５】実施形態１の側面図である。
【図６】実施形態１の背面図である。
【図７】実施形態２を示す回路図である。
【図８】実施形態３を示す回路図である。
【図９】実施形態３を示す分解斜視図である。
【図１０】実施形態３を示す分解斜視図である。
【図１１】実施形態４を示す回路図である。
【図１２】実施形態４の斜視図である。
【図１３】実施形態４のレンズ体を外した状態の斜視図である。
【符号の説明】
１  器具本体
５    白熱ランプ
４０  制御回路
４２  明るさセンサ
４３  熱線センサ
ＶＲ1 可変抵抗器
ＶＲ2 可変抵抗器
【図１】
0003728779.tif 000002
【図２】
0003728779.tif 000003
【図３】
0003728779.tif 000004
【図４】
0003728779.tif 000005
【図５】
0003728779.tif 000006
【図６】
0003728779.tif 000007
【図７】
0003728779.tif 000008
【図８】
0003728779.tif 000009
【図９】
0003728779.tif 000010
【図１０】
0003728779.tif 000011
【図１１】
0003728779.tif 000012
【図１２】
0003728779.tif 000013
【図１３】
0003728779.tif 000014